(57)【要約】      （修正有）【課題】本発明は火傷患者の苦痛を緩和させる介護ベッドを提供する事にある。【解決手段】ベッド本体に体積容量を十分に余裕を持たした、密閉袋状のジャバラマットシート２を設け、次にこの前記マットシートに封入用カプラ３を設ける、さらにベッド本体の脇に、加圧機を設け、この加圧機に加圧バネと加圧調整器および封入用カプラ３と注入用カプラを設け、さらに加圧機と前記マットシートに設けた、封入用カブラ３同士に、高圧ホースを接続して設け、最後に加圧機の注入用カプラより、内部に気体１１を封入し、加圧機から前記マットシートまで適当量の気体３で充填して設け、ベッド架台９に装着する。また気体３のかわりに、液体を充填したものでも良い。また、加圧機の加圧調整器のかわりに、患者体重に匹敵するウェイトブロックを用意して、加圧バネの上部に乗せて、患者の体重の沈み込みの浮力ｆをバランスさせる簡易な方法もある。【選択図】図２
2007037942.tif 000002
【特許請求の範囲】
【請求項１】
ベッド本体（１）に、体積容量に十分余裕を持たした、密閉袋状のジャバラマットシート（２）を設け、次にこの前記マットシートに封入用カプラ（３）を設ける、さらにベッド本体（１）の脇に、加圧機（４）を設け、この加圧機（４）に加圧バネ（５）と加圧調整器（６）および封入用カプラ（３）と注入用カプラ（７）を設け、さらに加圧機（４）と前記マットシートに設けた、封入用カブラ（３）同士に、高圧ホース（８）を接続して設け、最後に加圧機（４）の注入用カプラ（７）より、内部に気体（１１）、あるいは液体（１０）を封入し、加圧機（４）から前記マットシートまで適当量の気体（３）あるいは液体（１０）で充填して設け、これら全体をベッド架台（９）に装着してなる、火傷患者介護用ベッド。
【請求項２】
加圧機（４）の加圧調整器（６）のかわりに、患者体重に匹敵するウェイトブロックを用意して、加圧バネ（５）の上部に乗せて、患者の体重の沈み込みをバランスさせる、請求項１に記載の火傷患者介護用ベッド。
【発明の詳細な説明】
【技術分野】
【０００１】  本発明は、火傷した患者の治療用ベッドに関するものである。
【背景技術】
【０００２】  従来、病院には火傷した患者専門のベッドはなかった。
【発明の開示】
【発明が解決しようとする課題】
【０００３】  これは次のような問題点があった。
病院のベッドは患者の体を安定させるのが目的であり、患者の体重にフィットするように作られている。しかしながら、火傷の患者にとって体重で傷を押し付けられることは、最大の苦痛であった。また、本発明者が以前に開発していた、実用新案登録第３０６３７６３号の火傷介護用ベッドを開発したが、濃塩水等の高比重液体を充填して利用するもので、万一、マットシートが破れたりした場合の患者への危険性が考えられる事と、またマットシートに密閉封入したままであるから、患者の体重差に対しての細かい、浮力や沈込量を調整することが難しかった。
本発明は、このような問題点を改善する為に、なされたものである。
【課題を解決するための手段】
【０００４】  これらの課題を解決する方法として、本発明ではベッド本体（１）に、体積容量に十分余裕を持たした、密閉袋状のジャバラマットシート（２）を設ける。次に、この前記マットシートに封入用カプラ（３）を設ける、このカプラは密閉度の高い、差込自由で、プラグカプラ等を抜いた時は内部の充填物が漏れないように密閉ストッパーバルブが内蔵しているものを使用する。さらにベッド本体（１）の脇に、加圧機（４）を設ける。この加圧機（４）に加圧バネ（５）と加圧調整器（６）および、封入用カプラ（３）と注入用カプラ（７）を設ける。さらに加圧機（４）と前記マットシートに設けた、封入用カブラ（３）同士に、高圧ホース（８）を接続して設ける。最後に加圧機（４）の注入用カプラ（７）より、内部に気体（１１）を封入し、加圧機（４）から前記マットシートまで適当量の気体（３）で充填して設け、ベッド架台（９）に装着する。また、気体（３）のかわりに、液体（１０）を充填したものでも良い。
また、加圧機（４）の加圧調整器（６）のかわりに、患者体重に見合った重量ウェイトを加圧バネ（５）の上部に乗せるだけで、前記マットシートの浮力（ｆ）が得られる簡易な装置でも良い。つまりパスカルの原理で、非常に小加圧で済む事が特徴である。
本発明は、以上のような構成よりなる、火傷患者介護用ベッドである。
【発明の効果】
【０００５】  加圧機で、密閉袋状のジャバラマットシートの内部圧力を微調整出来るので、最適な患者体重に対する浮力が得られ、火傷した患者さんのベッドからの苦しみを取り去ることができた。
【発明を実施するための最良の形態】
【０００６】  以下、本発明の実施の形態について説明する。
図１〜図３のごとく、まず本発明は、ベッド本体（１）に、封入用カプラ（３）を装着した、密閉袋状のジャバラマットシート（２）を設ける。さらにベッド本体（１）の脇に加圧機（４）を設ける。この加圧機（４）には、加圧バネ（５）、加圧調整器（６）および封入用カプラ（３）、注入用カプラ（７）を設ける。次に、この加圧機（４）と前記マットシートに設けた、各々の封入用カプラ（３）に高圧ホース（８）を接続する。最後に、加圧機（４）の注入用カプラ（７）より内部に気体（１１）を封入し、加圧機（４）から前記マットシートまで適当量の気体（１１）で充填して設ける。そしてこれらをベッド架台（９）に装着する。ここで気体（１１）の替わりに、液体（１０）を充填したものでも良い。【０００７】  また、加圧機（４）の加圧調整器（６）で患者体重に合わせた浮力（ｆ）を作り出す方法ではなく、加圧調整器（６）のかわりに患者体重に見合ったウエイトブロックを使用して、加圧バネ（５）の上部に乗せるだけで、浮力（ｆ）を調節する特徴を、持った簡易型もある。さらにベストモードとしては、加圧調整器（６）とウエイトブロックを併用するものが良い。
本発明は、以上のような構成であり、これを使用するときは、ベッド本体（１）の【０００８】密閉袋状のジャバラマットシート（２）に火傷した患者を寝せる。それにより前記マットジャバラシートの内部に患者の体重（Ｆ）が加わり、この時に体重（Ｆ）と浮力（ｆ）がバランスして釣り合うように加圧機（４）の加圧調整器（６）で加圧バネ（５）を押し込んで、内部圧力の浮力（ｆ）を上げて、体重（Ｆ）と浮力（ｆ）が釣り合ったところで、加圧調整を完了させる。この時、患者の体には非常に小さな均等圧力の浮力（ｆ）が働いており、体の火傷部分には非常に小さい力しか加わっていない状況にある。つまり浮力の高い、死海で人が楽に自然に浮かんでいる状態である。
また、加圧調整器（６）を使わないで、加圧バネ（５）の上部にウエイトブロックを乗せて浮力（ｆ）を作り出す方法が、より簡単に調整できる。
【図面の簡単な説明】
【０００９】
【図１】  本発明の平面図である。
【図２】  本発明の使用説明図である。
【図３】  本発明の全体説明図である。
【符号の説明】
【００１０】  １  ベッド本体
２  密閉袋状のジャバラマットシート
３  封入用カプラ
４  加圧機
５  加圧バネ
６  加圧調整器
７  注入用カプラ
８  高圧ホース
９  ベッド架台
１０  液体
１１  気体
Ｆ  体重
ｆ  浮力
【図１】
2007037942.tif 000003
【図２】
2007037942.tif 000004
【図３】
2007037942.tif 000005